(57)【要約】  【課題】かご室壁面の意匠変更が簡単に行なえるエレベータかご室を提供する。  【解決手段】本発明のエレベータかご室は、三角柱体又は三角筒体の意匠分割体２の複数体を、それらの１側面それぞれが面一になるようにしてかご室壁面の全面に列設し、各意匠分割体を軸周りに回転できるように支持した構成にして、各意匠分割体２を回転させて表に来る側面を変更するだけでかご室意匠を交換できるようにしたものである。  【選択図】図１
2007204160.tif 000002
【特許請求の範囲】
【請求項１】
三角柱体又は三角筒体の意匠分割体の複数体を、それらの１側面それぞれが面一になるようにしてかご室壁面の全面に列設し、各意匠分割体を軸周りに回転できるように支持したことを特徴とするエレベータかご室。
【請求項２】
前記複数体の意匠分割体それぞれの少なくとも上端面又は下端面の中心位置に支軸を設け、前記かご室の天井面又は床面に前記複数体の意匠分割体それぞれの支軸を同時に軸支する櫛状の受止め部材を設けたことを特徴とする請求項１に記載のエレベータかご室。
【請求項３】
前記意匠分割体の３側面それぞれに、異なったパターンの意匠を施したことを特徴とする請求項１又は２に記載のエレベータかご室。
【請求項４】
前記パターンは、当該エレベータかご室の壁面全体で完結するパターンの一部を構成するものであることを特徴とする請求項３に記載のエレベータかご室。
【請求項５】
前記意匠分割体は、その３側面それぞれに所定のパターンの意匠の施された飾り板が磁力にて吸着されていることを特徴とする請求項１〜４のいずれかに記載のエレベータかご室。
【請求項６】
前記複数体の意匠分割体を同時に回転させる回転機構と、当該回転機構を駆動する駆動装置と、当該駆動装置を一定時間毎に起動するタイマとを備えたことを特徴とする請求項２〜５のいずれかに記載のエレベータかご室。
【請求項７】
三角柱体又は三角筒体の意匠分割体の複数体を、それらの１側面それぞれが面一になるようにしてかご室壁面の全面に、各意匠分割体が軸周りに回転できるようにして列設し、
前記複数体の意匠分割体を軸周りに回転させて別の側面を表に出させてかご室壁面の意匠を変更することを特徴とするエレベータかご室の意匠交換方法。
【発明の詳細な説明】
【技術分野】
【０００１】
本発明は、エレベータかご室及びエレベータかご室の意匠交換方法に関する。
【背景技術】
【０００２】
従来、エレベータかご室の四方の壁面それぞれに意匠を施した化粧パネルを嵌め込み、かご室全体として組立てている。このため、従来のエレベータかご室では、壁面の意匠を変更するためには、かご室を分解し、化粧パネルを取り外して別のものに交換し、再びそれをかご室の四方の壁面に嵌め込む作業が必要であり、容易に変更することができない問題点があった。
【特許文献１】特開平０９−７５１８９号公報
【発明の開示】
【発明が解決しようとする課題】
【０００３】
本発明は、このような従来の技術的課題に鑑みてなされたもので、かご室壁面の意匠変更が簡単に行なえるエレベータかご室及びその意匠交換方法を提供することを目的とする。
【課題を解決するための手段】
【０００４】
本発明のエレベータかご室は、三角柱体又は三角筒体の意匠分割体の複数体を、それらの１側面それぞれが面一になるようにしてかご室壁面の全面に列設し、各意匠分割体を軸周りに回転できるように支持したことを特徴とするものである。
【０００５】
本発明のエレベータかご室では、前記意匠分割体それぞれの少なくとも上端面又は下端面の中心位置に支軸を設け、前記かご室の天井面又は床面に前記複数体の意匠分割体それぞれの支軸を同時に軸支する櫛状の受止め部材を設けたものとすることができる。
【０００６】
また、本発明のエレベータかご室では、前記意匠分割体の３側面それぞれに、異なったパターンの意匠を施したものとすることができる。
【０００７】
また、本発明のエレベータかご室では、前記パターンは、当該エレベータかご室の壁面全体で完結するパターンの一部を構成するものとすることができる。
【０００８】
また、本発明のエレベータかご室では、前記意匠分割体は、その３側面それぞれに所定のパターンの意匠の施された飾り板が磁力にて吸着されているものとすることができる。
【０００９】
さらに、本発明のエレベータかご室では、前記複数体の意匠分割体を同時に回転させる回転機構と、当該回転機構を駆動する駆動装置と、当該駆動装置を一定時間毎に起動するタイマとを備えたものとすることができる。
【００１０】
本発明のエレベータかご室の意匠交換方法は、三角柱体又は三角筒体の意匠分割体の複数体を、それらの１側面それぞれが面一になるようにしてかご室壁面の全面に、各意匠分割体が軸周りに回転できるようにして列設し、前記複数体の意匠分割体を軸周りに回転させて別の側面を表に出させてかご室壁面の意匠を変更することを特徴とするものである。
【発明の効果】
【００１１】
本発明のエレベータかご室によれば、三角柱体又は三角筒体の意匠分割体の複数体を、それらの１側面それぞれが面一になるようにしてかご室壁面の全面に列設し、各意匠分割体を軸周りに回転できるように支持しているので、かご室壁面の意匠変更が必要になれば、複数体の意匠分割体それぞれを軸周りに回転させて別の側面が表に来るだけでかご室壁面の意匠変更ができ、意匠交換作業がきわめて容易に行なえる。
【００１２】
本発明のエレベータかご室の意匠交換方法によれば、三角柱体又は三角筒体の意匠分割体の複数体を、それらの１側面それぞれが面一になるようにしてかご室壁面の全面に、各意匠分割体が軸周りに回転できるようにして列設し、複数体の意匠分割体を軸周りに回転させて別の側面を表に出させてかご室壁面の意匠を変更するので、意匠交換作業が容易である。
【発明を実施するための最良の形態】
【００１３】
以下、本発明の実施の形態を図に基づいて詳説する。
【００１４】
（第１の実施の形態）図１、図２は、本発明の第１の実施の形態のエレベータかご室を示している。かご室の壁面を構成する鋼板パネル１の表側（かご室内側）に、複数体の三角柱体の意匠分割体２をその１側面が室内側に向かい面一になる姿勢で取り付けてある。各意匠分割体２の上面、下面それぞれの中心部には支軸２ａが設けてある。各意匠分割体２の支軸２ａは、鋼板パネル１の上下それぞれに取り付けた櫛状の受止め部材３の各歯間部に嵌め込んで支持させている。各意匠分割体２の上下端の支持部分をかご室内の利用者から見えなくし、そして受止め部材３と各意匠分割体２が回転しないように固定するために、受止め部材３の表側に押え板４が取り付けてある。図中、５はかご床を示している。各意匠分割体２の３側面それぞれには、飾りとするために異なったパターンの意匠が施してあり、また、表面仕上げも施してある。例えば、図３に示すように、壁面全体で完結するパターンの部分パターン１０ａ，１０ｂ，…を意匠分割体２毎に施したり、各意匠分割体２に同一のパターンを施したりすることができる。ただし、各意匠分割体２の３側面それぞれに施す意匠は異なったものとするのが好ましい。
【００１５】
次に、上記構成のエレベータかご室の意匠交換方法を説明する。設置時から時間がたち、かご室の意匠交換が必要になったときには、押え板４を受止め部材３から取り外して各意匠分割体２が支軸２ａにて回転できる状態にし、それまで表側に来ていた側面から別の側面が表側に来るように各意匠分割体２を回転させる。そして、すべての意匠分割体２の表面の意匠が揃った状態で、再び押え板４を受止め部材３に取り付け、受止め部材３と各意匠分割体２を回転しないように固定する。
【００１６】
これによって、本実施の形態のエレベータかご室では、かご室を分解し、鋼板パネルを取り外して別の意匠の施された鋼板パネルと交換するというような従来の大がかりな作業をせずに、単に、押え板４を取り外し、各意匠分割体２を回転させ、その後、再び押え板４を取り付けるだけの作業にて簡単に意匠交換が行なえる。
【００１７】
（第２の実施の形態）図４を用いて、本発明の第２の実施の形態のエレベータかご室について説明する。本実施の形態は、意匠の自動交換機能を備えたエレベータかご室を特徴とする。
【００１８】
各意匠分割体２の上端部と下端部の少なくとも一方において、押え板４の両側部にはシリンダ装置６が連結してあり、このシリンダ装置６の前後の伸縮動作で押え板４をかご室側に押し出し、あるいはその状態から引き込んで櫛状の受止め部材３を固定する動作をさせる。
【００１９】
また、モータ７が設けてあり、このモータ７のプーリ７ａに、歯付きベルト８を巻き掛けてある。各意匠分割体２の支軸２ａには歯車が設けてあり、歯付きベルト８にこの各支軸２ａの歯車を噛み合わせている。シリンダ装置６とモータ７を起動、停止させる駆動装置９が設置してあり、これにはタイマ１１が備えてある。
【００２０】
次に、上記構成のエレベータかご室の意匠交換方法について説明する。タイマ１１にはシリンダ装置６、モータ７を起動、停止させる時間の設定がしてあり、一定時間毎に駆動装置９にてシリンダ装置６を駆動して押え板４を図示の状態に押し出し、その後、モータ７を起動して歯付きベルト８を駆動させ、これに噛み合っている歯車を介して各意匠分割体２の支軸２ａを１８０度水平回転させ、室内側を向く側面を別のものに変更する。この後、モータ７を停止させ、またシリンダ装置６によって押え板４を引戻して受止め部材３を固定する。これによって、かご室壁面の意匠を自動的に一定期間毎に変更する。
【００２１】
以上のように、第２の実施の形態のエレベータかご室によれば、タイマ１１の管理によってかご室壁面の意匠を自動的に一定期間毎に変更することができる。このエレベータかご室の場合、店内催し物案内、商品広告等を意匠とすることで、宣伝効果を期待することができる。
【００２２】
尚、上記両実施の形態において、意匠分割体２の３側面それぞれの表面に、別体にした意匠パネルを貼り付ける構成にし、磁石力で意匠パネルを各側面に吸着させる構成にすることができる。これにより、各意匠分割体２の本体は交換せずに、それらの３側面の意匠交換だけを行うことができるようになり、かご室意匠の多様性をさらに図ることができる。
【図面の簡単な説明】
【００２３】
【図１】本発明の第１の実施の形態のエレベータかご室の向かって右側と背面の壁面の構成を示す斜視図。
【図２】上記第１の実施の形態のエレベータかご室の１つの壁面の上面図。
【図３】上記第１の実施の形態におけるかご室意匠の一例の正面図。
【図４】本発明の第２の実施の形態のエレベータかご室の１つの壁面の上面機構図。
【符号の説明】
【００２４】
１  鋼板パネル
２  意匠分割体
２ａ  支軸
３  受止め部材
４  押え板
６  シリンダ装置
７  モータ
８  歯付きベルト
９  駆動装置
１０ａ，１０ｂ，…  部分パターン
１１  タイマ
【図１】
2007204160.tif 000003
【図２】
2007204160.tif 000004
【図３】
2007204160.tif 000005
【図４】
2007204160.tif 000006